(57)【特許請求の範囲】
【請求項１】
四角な断面形状で長尺状をした下部連結部材の複数本を一端がヘッド側で他端がフット側となるようにして左右幅方向に間隔を置いて互いに平行なる関係をもって配備するとともに、これら下部連結部材のヘッド側とフット側の各上側に、強化発泡スチロールでなる発泡樹脂製ブロックをヘッド側とフット側である前後に配置されるように対向状をなして載置し、これら前後の両ブロックの上端間には、四角な断面形状で長尺状をした天面防護部材の複数本を左右幅方向に間隔を置いて互いに平行なる関係をもって渡架し、これら天面防護部材と下部連結部材およびブロックは、ボルト・ナットなどの締め付け手段により締め付けられるように構成されて、前後両ブロック、下部連結部材および天面防護部材により囲まれる空間を就寝用のスペースとして形成するとともに、前記天面防護部材の上側には天蓋部材が被せられ、かつ、前記天面防護部材とブロックとの間には、ブロックの上面全体に対応するようにしてまたブロックと下部連結部材との間にはブロックの下面全体に対応するようにしてそれぞれ上部介装板と下部介装板が締め付けにより介装されている安全防護装置。
【請求項２】
請求項１に記載された安全防護装置において、前後のブロックは、それぞれ上下に分割したブロックで構成されている安全防護装置。
【発明の詳細な説明】
【技術分野】
【０００１】  本発明は、地震に伴う家屋の倒壊などの危険から住民を防護することのできる安全防護装置に関する。
【背景技術】
【０００２】  地震に伴う家屋の倒壊は圧死を招き、先の地震でも圧死した人の多いことが問題となった。そのことに鑑み、倒壊対策の各種の特許出願が提案されている。
【発明の開示】
【発明が解決しようとする課題】
【０００３】  例えば、特開平９−１７３１８２のベッド用耐震防御フレームがその１つである。このものは、地震などで転倒した家具、倒壊した家屋の重量から就寝者を保護し、倒壊家屋内に閉じ込められた場合でも、救助されるまでの間、耐久可能なシェルターとして機能するもので、ベッドまたは和風寝床の周囲に配設される柱などの支持部材と、該支持部材に取付けられた天蓋を含む高強度の構造体からなり、該構造体によってベッドまたは和風寝床の上部空間を囲むようにすることを特徴とするものである。その他、各種の防御フレームが提案されているが、いずれも木材や鉄骨造りのもので、強力に抵抗するものの重量が嵩んで設置が大変でありしかも２階部分に設置するに不向きなものである。さらに、強力に抵抗するものの構造が非常に複雑でかつ重いため現場での組立に不向きであるとともにどうしても一定以上の製作費を要して一般に安価な装置を提供できなかった。
上記に鑑み、本発明は、構造が簡略で極く軽量であることから運搬・設置が簡単かつ迅速にできしかも２階以上へ設置しても軽量で揺れを起生しないものになるとともに抵抗強度も充分に発揮ししかも安価な装置として広く普及させ得る安全防護装置を提供することにある。
【課題を解決するための手段】【課題を解決するための手段】
【０００４】
上記課題を解決するため、請求項１に記載の発明は、四角な断面形状で長尺状をした下部連結部材の複数本を一端がヘッド側で他端がフット側となるようにして左右幅方向に間隔を置いて互いに平行なる関係をもって配備するとともに、これら下部連結部材のヘッド側とフット側の各上側に、強化発泡スチロールでなる発泡樹脂製ブロックをヘッド側とフット側である前後に配置されるように対向状をなして載置し、これら前後の両ブロックの上端間には、四角な断面形状で長尺状をした天面防護部材の複数本を左右幅方向に間隔を置いて互いに平行なる関係をもって渡架し、これら天面防護部材と下部連結部材およびブロックは、ボルト・ナットなどの締め付け手段により締め付けられるように構成されて、前後両ブロック、下部連結部材および天面防護部材により囲まれる空間を就寝用のスペースとして形成するとともに、前記天面防護部材の上側には天蓋部材が被せられ、かつ、前記天面防護部材とブロックとの間には、ブロックの上面全体に対応するようにしてまたブロックと下部連結部材との間にはブロックの下面全体に対応するようにしてそれぞれ上部介装板と下部介装板が締め付けにより介装されている。
請求項２に記載の安全防護装置は、請求項１に記載された安全防護装置において、前後のブロックは、それぞれ上下に分割したブロックで構成されている。
【発明の効果】【発明の効果】
【０００５】
本発明によれば、四角な断面形状で長尺状をした下部連結部材の複数本を一端がヘッド側で他端がフット側となるようにして左右幅方向に間隔を置いて互いに平行なる関係をもって配備するとともに、これら下部連結部材のヘッド側とフット側の各上側に、強化発泡スチロールでなる発泡樹脂製ブロックをヘッド側とフット側である前後に配置されるように対向状をなして載置し、これら前後の両ブロックの上端間には、四角な断面形状で長尺状をした天面防護部材の複数本を左右幅方向に間隔を置いて互いに平行なる関係をもって渡架し、これら天面防護部材と下部連結部材およびブロックは、ボルト・ナットなどの締め付け手段により締め付けられるように構成されて、前後両ブロック、下部連結部材および天面防護部材により囲まれる空間を就寝用のスペースとして形成するとともに、前記天面防護部材の上側には天蓋部材が被せられ、かつ、前記天面防護部材とブロックとの間には、ブロックの上面全体に対応するようにしてまたブロックと下部連結部材との間にはブロックの下面全体に対応するようにしてそれぞれ上部介装板と下部介装板が締め付けにより介装されているので、構造が簡略で極く軽量であることから運搬・設置が簡単かつ迅速にできしかも２階以上へ設置しても軽量で揺れを起生しないものになるとともに抵抗強度も充分に発揮ししかも安価な装置として広く普及させ得る安全防護装置を提供することができる。
【発明を実施するための最良の形態】
【０００６】  以下の各実施形態で説明する個々の提案例は他の実施形態にも適用されるものとする。
図１ないし図４は、本発明に係る安全防護装置の１つの実施形態を示し、図１は平面図、図２は正面図、図３は底面図、図４は図２の右側面図をそれぞれ示す。【０００７】  これらの図において、１は発泡樹脂製ブロックで、縦×横×長さは例えば、５０×５０×１２０（単位各ｃｍ）に成形された強化発泡スチロール製（圧縮強度１ｍ２当たり約３０トン仕様のもの）で、原型は５０×１００×２００（単位各ｃｍ）のものから切り取ったものである。これら発泡樹脂製ブロック１は、３段重ねとしてヘッド側およびフット側に対向関係で配備される。その対向寸法は、２ｍ前後である。各ブロック１の重量は約９ｋｇで、３段を合計すると約２７ｋｇに過ぎない。使用されるブロック１の寸法は、種々あり、縦×横の寸法は、３０×３０（ｃｍ）・３０×５０（ｃｍ）などがある他に、上記寸法以外の寸法にすることもある。尚、ブロック１には例えば、５ｃｍ・１０ｃｍ直径などの縦穴を開けることがある。この縦穴はブロック１の軽量化につながるだけでなく後述するボルト通穴を兼ねるものにすることができる。【０００８】  各ブロック１には、図２の右欄に示すように、その全体外面を樹脂シートや布などによる外装膜２で覆ってある。この外装膜２は、上下面を除く外周面のみに巻き付けてもよい。板状のものや箱状のものにしてもよい。【０００９】  ３は下部連結部材で、この実施形態では四角な断面の木材を使用してある。同部材３は複数本用意され、図３および図４のように４本（複数本）左右に離間して平行に配備されている。これら下部連結部材３…は、例えば、長さ２５０ｃｍとされている。
４は天面防護部材で、下部連結部材３と同じく四角な断面で長さ２．５ｍの木材で作られ、これらの部材４を４本（複数本）用意して左右に離間する形で平行に配備してある。【００１０】  ５は下部介装板、６は上部介装板で、幅×長さは５０×１２０（ｃｍ）で１ないし２ｃｍ厚の合板などの木質あるいは樹脂質の板材とされ、下部介装板５は、下部連結部材３…の前後両端と下段のブロック１底面との間に介装され、上部介装いた６は、上段のブロック１上面と天面防護部材４との間に介装されている。そして、これら天面防護部材４と下部連結部材３との間には、介装板５，６を介して３段のブロック１…がサンドイッチ式に固定されている。その固定は図２の右欄に示すように貫通式のボルト７と座金８およびナット９などにより締め付け方式でなされている。介装板５，６は、木質板のみとする場合とゴム質板とする場合、その他、木質板とゴム質板との重合式とする場合とがある。この重合式の場合、上下が木質板（あるいは樹脂質板）でその間がゴム質板である場合と、上下がゴム質板でその間が木質（あるいは樹脂質）板である場合とがある。
尚、前記ボルト７・ナット９による締め付け方式は、上下にナットを備えた長い単管と同単管に上下からねじ込まれるボルト（ナット）のセットに置き換えることもできる。
これらブロック１，１と下部連結部材３および天面防護部材４で囲まれた空間底部は就寝スペースとなっており、その床材１０として特製寸法（１．２ｍ×２ｍ）の畳が敷設されている。同床材１０は、下部連結部材３側に止め付けられている。その床材１０の上に敷布団１１・掛け布団１２・枕１３などでなる和式寝具１４が装設されている。【００１１】  尚、図１および図２に示すように天面防護部材４上には天蓋部材１６がパンチングメタルや格子部材などの通気部材として固定して設けられている。この天蓋部材１６は、ゴム質あるいは発泡スチロール板材などの緩衝機能部材であってもよい。
図２の左欄に示すように、上段のブロック１は上面面積を広げて耐圧力を高めるため上方へゆくにしたがって湾曲形状にしてもよい。この湾曲形状は、図示したヘッド側のみならずフット側にも構成することがある。
また、図２の左欄下側に示すように、ブロック１…間には、合板やゴム板などの中段介装板１７…をサンドイッチ式に挟み込んでもよい。この場合、合板とゴム板とを重合してもよい。【００１２】  図３および図４に示すように、下部連結部材３間や天面防護部材４間にはずれ止め部材１８…を介装固定してもよい。
図４の右下欄に示すように、下部連結部材３は設置面積を広げるとともに足が突っ掛からないように斜面形状にしてもよく、その場合、丸型にしてもよい。【００１３】  ブロック１…は３段であったが、２段でも４段でもよい。また、図４に示すように、下段を高く、上段を低いブロック１，１としてもよいし、さらに左欄のように１ブロック式にしてもよい。１ブロック式（複数重ね式も含む）のブロック１の前後間に渡る単管である天面防護管ａとブロック１内に垂直に差し込まれる単管である縦管ｂとを一体化した全体が門型をなす差込付天面防護部材２３により装置全体を構成してもよい。管ａと管ｂとは溶接してあるが曲げパイプ製であったり２本の別体管ａ、ｂを現場で別体のエルボで接続するようにしてもよい。２４は緩衝材である。同図上欄に示すように管ａを長く突き出すようにしてもよい。
図４に仮想線で示すように、ブロック１には横穴１９…を１つあるいは複数個開けて軽量化の他に就寝する人の受ける圧迫感を軽減させる役目を持たせる。この横穴１９…は丸形や角形、楕円、多角形などの幾何学形状を採用することができるし、同横穴１９…の一部あるいは全てを収納穴（蓋付でもよい）としてもよい。
天面防護部材４や下部連結部材３は仮設機材である単管とすることもある。【００１４】  前記のように天面防護部材４の下に上部介装板６をかませておくと上方からの負荷を分散して伝えるので上段のブロック１へ掛かる応力が小さく抑えられる。ブロック１…を複数個で上下重合式としておくと、上からの負荷が作用しても上段のブロック１への被害のみに留まりそれ以上下方の段のブロック１，１へ破壊などの影響を与えるおそれがない。さらにブロック１間に中段介装板１７を挟んでおくと力が分散し守られる。【００１５】  尚、図４に示すように、コの字形をした連結具２０によりブロック１間をつなぐようにしてもよい。この場合、ブロック１の端部に通孔を開けておきその孔に連結具２０の脚を挿し込むようにする方法と、通孔を開けずに連結具２０の脚を打ち込むようにする方法とがある。前者の方法の場合、挿し込むにしたがって上下のブロック１，１を圧着するものとする。また、同連結具２０には、右上欄に示すように、ターンバックル式の締め込み具２１を付属しておいてブロック１，１を最終的に圧着できるようにすればブロック１…の一体化ができる。図２における２２はレースなどの天底装飾である。【００１６】  図５はブロック１と天面防護部材４、ブロック１と下部連結部材３との一体化を図るための他の実施形態を示す。
同実施形態において２５は縦連結パイプで、その上下端にはナット２６を備えるとともに上部からは二股状の斜めパイプ２７，２７を備えてナット２８付としてある。各ブロック１…には上下方向に向く縦貫通孔３０が同じ位置となるように開けられて縦連結パイプ２５が通されるようになっている。【００１７】  下部介装板５および上部介装板６並びに天面防護部材４および下部連結部材３にも前記縦貫通孔３０に対応した通孔３１が開けられている。ａは座ぐりである。下側の通孔３１から通された下ボルト３２はナット２６にねじ込まれて縦連結パイプ２５内に挿通されて止めナット３３により引張固定されている。その際、縦連結パイプ２５の下端外周には下段のブロック１に食い込む三角形の振れ止めプレート３４が設けられている。【００１８】  上段のブロック１下部には補助孔３６が開けられて斜めパイプ２７が入るようになっている。上段のブロック１には、斜行孔３７が前後一対設けられており、上段のブロック１が載せられたあと斜行孔３７を通じて挿通された斜めボルト３８がナット２８にそれぞれねじ込まれることにより取り付けられたあと、斜め座金３９および締めナット４０により固定されてブロック１…と天面防護部材４とが一体化されるようになっている。上ボルト４１が縦連結パイプ２５にねじ込まれてナット４２で締め付けられるようになっている。このように３点での締め付けにより天面防護部材４に負荷が掛かっても容易に抜脱することはない。
尚、天面防護部材４や下部連結部材３はこの実施形態では紙面に直交する方向に複数本配備されているが、図５の態様の構造はそれらの全てに適用される場合と幅間中央のものに対してのみ適用される場合とがある。【００１９】  図６および図７は他の実施形態を示す。同実施形態は、発泡樹脂製ブロック４３…の積み重ねを天面防護部材４４および下部連結部材４５間で挟んで締め付けボルトとナットによる止着具４６により一体化するとともに上面に天蓋部材４７を覆設して畳である床材４８を敷設して和式寝具４９を設けるようにしたものにおいて、嵩上げボックス５０を設けて下部連結部材４５を少し高い位置にしたものである。【００２０】  下部連結部材４５の下部空間には、収納ボックス５１…を出し入れ自在に装備してもよい。５２は介装材である。
尚、図７の上側に示すように、四角木材によるずれ止め５４を配してもよいし、単管によるずれ止め５５にしてもよい。天面防護部材５６それ自体を単管式にしてもよい。この場合、押さえ金具５７を止着具５８による引き下げにより単管を固定するようにすることができる。この単管５６回りには弾性緩衝材を包み被せるようにしてもよい。
また、下部連結部材４５および天面防護部材４４は、図７の右下欄に示すように、角筒状のものにしてもよい。これは他の実施形態にも適用がある。
さらに、左上欄に示すように、Ｚ金具式のずれ止め５９にしてもよい。
また、下段のブロック４３には図７の左欄に示すように下部連結部材４５を差し込み固定する方式にしてもよい。
尚、図１から図７に示す上下積み重ね式のブロック１…は、接着剤あるいは両面テープにより重合してもよい。【００２１】  図８および図９は他の実施形態を示す。同実施形態は、ヘッドボード６３・フットボード６４・サイドフレーム６５・マットレス６６を備えたベッド６７のヘッド側およびフット側のそれぞれ外側に発泡樹脂製ブロック６８を立ち上げるとともに、同ブロック６８とヘッドボード６３並びにブロック６８とフットボード６４を止着具６９により一体化したものである。両ブロック６８，６８の上端間には、天面防護部材７０…を渡して縦連結具７１により一体化するとともに天蓋部材７２が覆われている。
尚、ボルト、角材や単管などによる補強芯材７３により上部内側の補助ブロック７４を固定すれば受圧面積が倍増して低い圧力で負荷を受けるようにしてもよい。こうすれば天面防護部材７０の前後端部は補助ブロック７４およびブロック６８で受け止められているので、受担されていない中間部分の長さ（実質スパン）は短くなって強力な天面防護部材７０となる。補助ブロック７４は接着剤や両面テープでブロック６８と一体化してもよい。
止着具６９は図９の右欄のようにゴムなどのカバー７５を付して就寝者を守るとともに、緩衝座７６を介装するなどしてブロック６８の損傷を少なくする。
また、図９の左欄に示すように、補助ブロック７４を介して横止着具ａと縦止着具ｂによりブロック６８と天面防護部材７０とを一体連結してもよい。
さらに、ｃは介装材で、例えば、合板と緩衝材の組み合わせにより、緩衝材を上側とするがこれに限定されない。【００２２】  図１０は他の実施形態を示す。同実施形態は、ベッド７７の前後に止着具７８によりブロック７９を一体化しブロック７９の上部間に天面防護部材８０を横架固定するとともに天蓋部材８１を覆設ししかも前記補助ブロック８２を補強芯材８３を介して一体化してなるものにおいて、ブロック７９と補助ブロック８２の上部には、同図左欄に示すように上向きに開放状のコの字形凹欠部８４…を形成し、同凹欠部８４に嵌り込むようにして天面防護部材８０のそれぞれを嵌着するようにしたものである。天面防護部材８０は縦連結材８５によりブロック７９に一体化される。凹欠部８４内には緩衝材を介装するとブロック７９への負担が軽減される。
尚、同図右欄に示すように、ブロック７９の上部を斜め切りしてその上に三角形ブロック状をした補助ブロック８２を介して天面防護部材８０を設け、斜め止着具８６により全体を一体化するようにしてもよい。【００２３】  図１１は他の実施形態を示す。同実施形態は、ベッド８８の前後に止着具８９によりブロック９０を一体化するとともに、両ブロック９０，９０間には、同ブロック９０の通孔９１に挿通される形で単管や角材などの天面防護部材９２の複数本を渡架一体化したものである。上記の構造を基本として、ブロック９０のベッド８８側には天面防護部材９２に挿通される形で補助ブロック９３を設けるとともにこれら補助ブロック９３間に相当する天面防護部材９２の外周には緩衝機能のある外装管９４を装備したものである。９５は緩衝機能をもつ介装材、９６は天蓋部材である。
尚、同図仮想線のように補助ブロック９３の底面は斜面ｄにすればより力の伝達が確実かする。【００２４】  図１２から図１８は他の実施形態を示す。同実施形態は、雷・電磁波・地震対策のためのペット用の安全防護装置である。この装置は、本体ブロック９９と扉１０８からなり、その殆どが発泡樹脂製ブロックから作製されている。【００２５】  本体ブロック９９は、底壁１００・天壁１０１・側壁１０２・背壁１０３とでなる。側壁１０２・底壁１００・天壁１０１・背壁１０３の各幅（厚み）ｗは図１３右欄のように約２５ｃｍ分厚いものにし、本体ブロック９９の幅Ｗは約１ｍで大きなブロックとするのが好ましい。１０４は内底板で、図１８（左側面図）のように本体ブロック９９に出し入れ自在として汚れたときに掃除できるようになっている。１０５は内天板でこれも出し入れ自在としてもよい。同内天板１０５は脱臭剤入りで交換できるようにしてもよい。１０６は底盤でゴム質や発泡スチロール製でもよい。１０７はヒンジで扉１０８を取り付けてある。１０９は取っ手である。【００２６】  本体ブロック９９側と扉１０８側とは図１７（正面図）に示すようなマグネット吸着手段１１０が構成されている。１１１は換気手段である。
尚、本体ブロック９９および扉１０８の外面には図１８に示すような雷・電磁波・地震対策のため炭素入りの布地・板材・メッシュ板などの外装防護膜１１２で覆われている。
図１７右欄（平面図）に示すように側壁１０２に開けられた換気孔１１３は通常は開いているが、扉１０８を閉めることにより同扉１０８先端の微通気質の閉止パッド１１４で閉止されることで雷音を遮ることができる。
本体ブロック９９は、接着やボルト結合、これらの組み合わせなどで一体化する。また、同ブロック９９は、１つのブロック体から切り抜いて上下左右壁を残した一体物として作製してもよい。【００２７】  図１９は他の実施形態を示す。同実施形態は、緊急地震速報（警報）が出た際に利用される住人避難用の安全防護装置で、左右の側壁１１７と天壁１１８および背壁（図示省略）とを強化発泡スチロール製ブロックから形成し門型に製作したものである。外装はそれぞれのブロックに施してある。各壁厚は５０ｃｍ前後とし天壁１１８の底面には介装材１１９が挟まれて単管や角材などの連結材１２０を打ち込むことで耐震強度のある装置としてある。１２１は底連結材、１２２は床材で、底連結材１２１は側壁１１７相互を連結するものである。【００２８】  尚、１２３は観葉植物の鉢であるが、鉢１２３やＴＶその他家財用具をこの装置にブラケット１２４を介して固定するようにしてもよい。
また、前記実施形態では左右の側壁１１７が同じ厚みであったが、右欄に正面図を示すように一方の側壁１１７を７０ｃｍから１ｍ前後に厚くして安定性を向上させるようにしてもよい。
さらに、天壁１１８上には緩衝材を覆ってもよい。また、同装置は、室内を構成する床材あるいは側壁（柱を含む）に連結固定することもある。さらに、装置内には取っ手を設けることができる。１２５は緊急避難警報器である。
【図面の簡単な説明】
【００２９】
【図１】本発明の一実施形態を示す平面図。
【図２】図１の装置の正面図。
【図３】図２の装置の底面図。
【図４】図２の装置の右側面図。
【図５】他の実施形態を示す正面図。
【図６】他の実施形態を示す正面図。
【図７】図６の右側面図。
【図８】他の実施形態を示す平面図。
【図９】図８の装置の正面図。
【図１０】他の実施形態を示す正面図。
【図１１】他の実施形態を示す正面図。
【図１２】ペット用安全防護装置の平面図。
【図１３】ペット用安全防護装置の正面図。
【図１４】ペット用安全防護装置の背面図。
【図１５】ペット用安全防護装置の底面図。
【図１６】ペット用安全防護装置の右側面図。
【図１７】ペット用安全防護装置の扉を開いた状態の正面図。
【図１８】ペット用安全防護装置の扉を開いた状態の右側面図。
【図１９】家屋内設置型安全防護装置（避難装置）を示す斜視図。
【符号の説明】
【００３０】１，４３，６８…ブロック  ３，４５…下部連結部材  ４，４４，５６，７０…天面防護部材。
【図１】
0005194230.tif 000002
【図２】
0005194230.tif 000003
【図３】
0005194230.tif 000004
【図４】
0005194230.tif 000005
【図５】
0005194230.tif 000006
【図６】
0005194230.tif 000007
【図７】
0005194230.tif 000008
【図８】
0005194230.tif 000009
【図９】
0005194230.tif 000010
【図１０】
0005194230.tif 000011
【図１１】
0005194230.tif 000012
【図１２】
0005194230.tif 000013
【図１３】
0005194230.tif 000014
【図１４】
0005194230.tif 000015
【図１５】
0005194230.tif 000016
【図１６】
0005194230.tif 000017
【図１７】
0005194230.tif 000018
【図１８】
0005194230.tif 000019
【図１９】
0005194230.tif 000020